(57)【要約】【課題】シートに折り癖が生じることを抑制できるとともに、シートを１枚ずつ取り出すことのできるシート収容箱体を提供すること。【解決手段】シート収容箱体１０は、取出口２１を有する箱本体２０と、箱本体２０の内部に設けられる台紙５０と、台紙５０上において積層されるとともに渦巻状に丸められた複数枚の可撓性のシート４０とを備えている。台紙５０は、箱本体２０の内面に当接することで箱本体２０に対する台紙の回転止めを行う第１平板部５２、第２平板部５３、及び角部５５を有している。シート４０の各々の前端４０ａは、シート４０及び台紙５０の弾性復元力によって取出口２１に連なる箱本体２０の内面に向けて付勢されている。【選択図】図４
2020132253.tif 000002
【特許請求の範囲】
【請求項１】
取出口を有する箱本体と、
前記箱本体の内部に設けられる台紙と、
前記台紙上において積層されるとともに渦巻状に丸められた複数枚の可撓性のシートと、を備え、
前記台紙は、前記箱本体の内面に当接することで前記箱本体に対する前記台紙の回転止めを行う回転止め部を有し、
前記シートの各々の端部は、前記シート及び前記台紙の弾性復元力によって前記取出口に連なる前記箱本体の内面に向けて付勢されている、
シート収容箱体。
【請求項２】
前記台紙は、前記シートの各々における取り出し方向の後端を係止することで前記取り出し方向の後側への前記シートの各々の変位を規制する規制片を有している、
請求項１に記載のシート収容箱体。
【請求項３】
前記台紙及び前記シートの各々の中心軸の軸線方向を幅方向とするとき、
前記幅方向において、前記取出口の両端は前記シートの両端よりもそれぞれ内側に位置している、
請求項１または請求項２に記載のシート収容箱体。
【請求項４】
前記箱本体は、直方体状をなし、前記台紙及び複数枚の前記シートを収容する収容部を有しており、
前記回転止め部は、前記収容部の複数の前記内面にそれぞれ当接する複数の当接面と、互いに隣り合う前記当接面の間に設けられた角部とからなる、
請求項１〜請求項３のいずれか一項に記載のシート収容箱体。
【発明の詳細な説明】
【技術分野】
【０００１】
本発明は、積層された複数枚の可撓性のシートを１枚ずつ取り出し可能に収容する収容箱体に関する。
【背景技術】
【０００２】
この種のシート収容箱体としては、例えば特許文献１に記載の包装紙収容箱体がある。特許文献１に記載の包装袋収納箱体は、天面或いは稜部の一部が切除されて開口が形成された箱本体を有している。箱本体の内部には、多数枚が積層された包装袋が格納されている。また、箱本体の内部には、ジャバラ折りされたことによって互いに平行な二つの凸稜と一つの凹稜とを有し、断面Ｍ字状となる台紙が格納されている。包装袋は、多数枚積層され、且つ上記台紙の折曲に沿ってジャバラ状に折り畳まれた状態で箱本体内に格納されている。こうした包装袋収納箱体によれば、使用者は、箱本体の開口を通じて、最も上側に位置する包装紙の山折り稜線部分を持ち上げることにより、箱本体から包装袋を１枚ずつ取り出すことができる。
【先行技術文献】
【特許文献】
【０００３】
【特許文献１】特開２０１８−１０４０２９号公報
【発明の概要】
【発明が解決しようとする課題】
【０００４】
ところで、特許文献１に記載の包装袋収納箱体では、包装袋がジャバラ状に折り曲げられた状態で格納されているため、当該包装袋に折り癖がつきやすいといった問題がある。なお、こうした問題は、包装紙を収容する収容箱体に限られるものではなく、可撓性のシートを収容するものにおいては概ね共通して生じる。
【０００５】
本発明の目的は、シートに折り癖が生じることを抑制できるとともに、シートを１枚ずつ取り出すことのできるシート収容箱体を提供することにある。
【課題を解決するための手段】
【０００６】
上記目的を達成するためのシート収容箱体は、取出口を有する箱本体と、前記箱本体の内部に設けられる台紙と、前記台紙上において積層されるとともに渦巻状に丸められた複数枚の可撓性のシートと、を備え、前記台紙は、前記箱本体の内面に当接することで前記箱本体に対する前記台紙の回転止めを行う回転止め部を有し、前記シートの各々の端部は、前記シート及び前記台紙の弾性復元力によって前記取出口に連なる前記箱本体の内面に向けて付勢されている。
【０００７】
同構成によれば、上記台紙が回転止め部を有しているため、箱本体内において台紙及び各シートが回転しない。更に、各シートの端部が、シート及び台紙の弾性復元力によって取出口に連なる箱本体の内面に向けて付勢されているため、各シートの端部は、取出口を臨む位置に保持されるようになる。このため、使用者は、取出口を通じて複数枚のシートのうちの１つの端部を引っ張ることによってシートを１枚ずつ取り出すことができる。また、複数枚のシートが台紙と共に渦巻き状に丸められた状態で箱本体の内部に収容されているため、シートに折り癖が生じることを抑制できる。
【０００８】
上記シート収容箱体において、前記台紙は、前記シートの各々における取り出し方向の後端を係止することで前記取り出し方向の後側への前記シートの各々の変位を規制する規制片を有していることが好ましい。
【０００９】
同構成によれば、台紙に設けられた規制片によって各シートにおける取り出し方向の後側への変位が規制される。このため、取出口を通じてシートの端部を引っ張ることができなくなるといった不都合の発生を抑制できる。
【００１０】
上記シート収容箱体において、前記台紙及び前記シートの各々の中心軸の軸線方向を幅方向とするとき、前記幅方向において、前記取出口の両端は前記シートの両端よりもそれぞれ内側に位置していることが好ましい。
【００１１】
使用者が取出口を通じて１つのシートの端部を引っ張った際に、当該シートと隣り合う他のシートが摩擦力や静電気力などによって一緒に引っ張り出されてしまうおそれがある。
【００１２】
この点、上記構成によれば、幅方向において、箱本体の取出口の両端がシートの両端よりもそれぞれ内側に位置している。このため、上記他のシートが引っ張り出されようとすると、当該他のシートの両端部が取出口の周縁に干渉するようになる。したがって、意図しないシートが引っ張り出されることを抑制できる。
【００１３】
上記シート収容箱体において、前記箱本体は、直方体状をなし、前記台紙及び複数枚の前記シートを収容する収容部を有しており、前記回転止め部は、前記収容部の複数の前記内面にそれぞれ当接する複数の当接面と、互いに隣り合う前記当接面の間に設けられた角部とからなることが好ましい。
【００１４】
同構成によれば、台紙の一部を折り曲げることによって、収容部の複数の内面にそれぞれ当接する複数の当接面と、互いに隣り合う当接面の間に設けられた角部とからなる回転止め部を形成することができる。したがって、回転止め部の構成を簡単にできる。
【発明の効果】
【００１５】
本発明によれば、シートに折り癖が生じることを抑制できるとともに、シートを１枚ずつ取り出すことができる。
【図面の簡単な説明】
【００１６】
【図１】（ａ），（ｂ）は、シート収容箱体の一実施形態を示す斜視図。
【図２】台紙及びシートを示す斜視図。
【図３】（ａ）〜（ｃ）は、積層された複数枚のシートを台紙上にセットする工程を順に示す斜視図。
【図４】図１（ｂ）の４−４線に沿った断面図。
【図５】シート収容箱体からシートを引っ張り出す様子を示す斜視図。
【発明を実施するための形態】
【００１７】
以下、図１〜図５を参照して、シート収容箱体の一実施形態について説明する。
図１に示すように、シート収容箱体（以下、収容箱体１０）は、複数枚の可撓性のシート４０を１枚ずつ取り出し可能に収容するものであり、取出口２１を有する箱本体２０と、箱本体２０の内部に設けられる台紙５０と、台紙５０上において積層されるとともに台紙５０と共に渦巻状に丸められた複数枚の可撓性のシート４０とを備えている。なお、本実施形態のシート４０は、おにぎりの作成及び包装を行うための正方形のラッピングシートであり、ポリプロピレンなどの合成樹脂製からなる。
【００１８】
以下、収容箱体１０の各構成について詳細に説明する。
図１（ａ）及び図１（ｂ）に示すように、箱本体２０は、四角筒状の筒部３１と、筒部３１の両開口を開閉する一対のフラップ３７とを有する収容部３０と、筒部３１と一体に設けられ、取出口２１を開閉する蓋部２２とを備えている。
【００１９】
なお、以降において、筒部３１の両開口のうち平行をなす一対の辺（図１の上下の辺）の延在方向を前後方向Ｘとし、筒部３１の軸線方向、すなわち台紙５０及びシート４０の中心軸の軸線方向を幅方向Ｙとし、前後方向Ｘ及び幅方向Ｙの双方に直交する方向（図１の上下方向）を直交方向Ｚとして説明する。
【００２０】
図４に示すように、筒部３１は、底壁部３２、底壁部３２の前端にて屈曲され、直交方向Ｚに沿って延在する前壁部３３、前壁部３３の先端にて屈曲され、前後方向Ｘに沿って後方へ延在する頂壁部３４、及び頂壁部３４の後端にて屈曲され、直交方向Ｚに沿って底壁部３２に向けて延在する内側後壁部３５を有している。
【００２１】
また、筒部３１は、底壁部３２の後端にて屈曲され、直交方向Ｚに沿って延在するとともに内側後壁部３５全体を覆う外側後壁部３６を有している。なお、内側後壁部３５の外面と外側後壁部３６の内面とは、接着剤によって接着されている。
【００２２】
図１（ｂ）に示すように、取出口２１は、前壁部３３と頂壁部３４との間の稜線部分に設けられており、幅方向Ｙに沿って延在している。また、頂壁部３４における取出口２１の周縁の中央には、使用者の指を逃がす逃がし凹部２１ａが設けられている。
【００２３】
前壁部３３の幅方向Ｙ及び直交方向Ｚの中央には、係止孔３８が設けられている。
蓋部２２は、外側後壁部３６における底壁部３２とは反対側（同図の上側）から延設されている。蓋部２２は、頂壁部３４全体及び前壁部３３の一部を覆う形状を有しており、頂壁部３４と外側後壁部３６との間の稜線を起点として傾動可能に設けられている。
【００２４】
図１（ｂ）に示すように、蓋部２２の先端縁の中央には、上記係止孔３８に係止される係止片２３が突設されている。係止片２３が係止孔３８に係止されることによって、蓋部２２によって取出口２１が閉じられた状態に維持される。
【００２５】
外側後壁部３６の幅方向Ｙの一端側には、吊り下げ部２４が延設されている。吊り下げ部２４には、収容箱体１０を吊り下げるためのフック等が挿通される孔２５が設けられている。
【００２６】
本実施形態の箱本体２０は、一枚の厚紙によって形成されている。
図２及び図３に示すように、台紙５０は全体として略長方形状をなしており、渦巻状に丸められるロール部５１、ロール部５１の外周側から延設された第１平板部５２、及び第１平板部５２におけるロール部５１とは反対側から延設された第２平板部５３とを有している。本実施形態の台紙５０は、厚紙によって形成されている。なお、ロール部５１には、幅方向Ｙに沿って延在するとともにロール部５１を丸める作業を補助する複数の折り線５１ａ（図４参照）が、ロール部５１の周方向に等間隔にて設けられている。
【００２７】
図４に示すように、ロール部５１と第１平板部５２との間には略直角の角部５４が設けられている。また、第１平板部５２と第２平板部５３との間には略直角の角部５５が設けられている。
【００２８】
図１（ｂ）及び図３に示すように、ロール部５１及び第２平板部５３の幅方向Ｙにおける長さＹ１は、シート４０の長さＹ１と同一であるとともに、筒部３１の幅方向Ｙにおける長さＹ２よりも僅かに短い。また、シート４０の長さＹ１は、取出口２１の幅方向Ｙの長さＹ３よりも長い。したがって、幅方向Ｙにおいて、取出口２１の両端はシート４０の両端よりもそれぞれ内側に位置している。
【００２９】
第１平板部５２及び第２平板部５３の外面は、筒部３１の内側後壁部３５及び底壁部３２の内面にそれぞれ当接されている。第１平板部５２及び第２平板部５３の外面が本発明に係る当接面に相当し、これら第１平板部５２と第２平板部５３との間の角部５５が本発明に係る角部に相当する。したがって、第１平板部５２及び第２平板部５３の外面と、角部５５とによって本発明に係る回転止め部が構成されている。
【００３０】
ロール部５１の幅方向Ｙの中央には、ロール部５１に連なるロール部５１の他の部位よりも外周側に突出する規制片５６が設けられている。規制片５６は、ロール部５１の一部を切り起こすことによって形成されており、各シート４０における取り出し方向の後端４０ｂを係止することで取り出し方向の後側への各シート４０の変位を規制する。
【００３１】
次に、台紙５０及びシート４０の収容方法について説明する。
図３（ａ）に示すように、まず、台紙５０のロール部５１の一部を渦巻状に丸めるとともに、規制片５６をロール部５１の他の部位よりも外周側に突出させる。
【００３２】
次に、図３（ｂ）に示すように、規制片５６の外周面をロール部５１の内周面に当接させる。
次に、図３（ｃ）に示すように、ロール部５１のうち丸められていない部分（規制片５６を含む）、第１平板部５２、及び第２平板部５３の内周面上に、積層された複数枚のシート４０を載置する。なお、複数枚のシート４０のうち最も内周側に位置するシート４０における取り出し方向の前端４０ａには、当該シート４０の取り出しを補助する短冊状の補助シール４１が貼着されている。本実施形態では、各シート４０の図柄Ｐを下にして各シート４０を台紙５０上に載置している。続いて、ロール部５１のうちシート４０が載置された部分を、シート４０を内周側にして渦巻状に丸める。
【００３３】
次に、渦巻状に丸められた台紙５０及びシート４０を筒部３１の一方の開口を通じて収容部３０内に収容する。このとき、図４に示すように、各シート４０の前端４０ａは、シート４０及び台紙５０の弾性復元力によって取出口２１に連なる収容部３０の前壁部３３の内面に向けて付勢される。このため、各シート４０の前端４０ａは、取出口２１を臨む位置に保持されるようになる。なお、シート４０の前端４０ａと前壁部３３の内面との間に、おにぎりを包装した状態のシート４０のシール留めを行うシール６０が取出口２１を通じて差し込まれている（図１（ｂ）参照）。
【００３４】
次に、本実施形態の作用効果について説明する。
（１）収容箱体１０は、取出口２１を有する箱本体２０と、箱本体２０の内部に設けられる台紙５０と、台紙５０上において積層されるとともに渦巻状に丸められた複数枚の可撓性のシート４０とを備えている。台紙５０は、箱本体２０の内面に当接することで箱本体２０に対する台紙５０の回転止めを行う第１平板部５２及び第２平板部５３の外面と、角部５５とを有している。シート４０の各々の前端４０ａは、シート４０及び台紙５０の弾性復元力によって取出口２１に連なる箱本体２０の内面に向けて付勢されている。
【００３５】
こうした構成によれば、上記台紙５０が第１平板部５２及び第２平板部５３の外面と、角部５５とからなる回転止め部を有しているため、箱本体２０内において台紙５０及び各シート４０が回転しない。更に、各シート４０の前端４０ａが、シート４０及び台紙５０の弾性復元力によって取出口２１に連なる収容部３０の前壁部３３の内面に向けて付勢されているため、各シート４０の前端４０ａは、取出口２１を臨む位置に保持されるようになる。このため、図５に示すように、使用者は、取出口２１を通じて複数枚のシート４０のうち内周側のシートの前端４０ａを引っ張ることによってシート４０を１枚ずつ取り出すことができる。また、複数枚のシート４０が台紙５０と共に渦巻き状に丸められた状態で箱本体２０の内部に収容されているため、シート４０に折り癖が生じることを抑制できる。
【００３６】
（２）台紙５０は、シート４０の各々における取り出し方向の後端４０ｂを係止することで取り出し方向の後側へのシート４０の各々の変位を規制する規制片５６を有している。
【００３７】
こうした構成によれば、台紙５０に設けられた規制片５６によって各シート４０における取り出し方向の後側への変位が規制される。このため、取出口２１を通じてシート４０の端部を引っ張ることができなくなるといった不都合の発生を抑制できる。
【００３８】
（３）幅方向Ｙにおいて、取出口２１の両端はシート４０の両端よりもそれぞれ内側に位置している。
使用者が取出口２１を通じて１つのシート４０の前端４０ａを引っ張った際に、当該シートと隣り合う他のシートが摩擦力や静電気力などによって一緒に引っ張り出されてしまうおそれがある。
【００３９】
この点、上記構成によれば、幅方向Ｙにおいて、箱本体２０の取出口２１の両端がシート４０の両端よりもそれぞれ内側に位置している。このため、上記他のシートが引っ張り出されようとすると、当該他のシートの両端部が取出口２１の周縁に干渉するようになる。したがって、意図しないシートが引っ張り出されることを抑制できる。
【００４０】
（４）収容箱体１０において、箱本体２０は、直方体状をなし、台紙５０及び複数枚のシート４０を収容する収容部３０を有している。回転止め部は、収容部３０の内側後壁部３５の内面に当接する第１平板部５２の外面及び底壁部３２の内面に当接する第２平板部５３の外面からなる当接面と、互いに隣り合う第１平板部５２と第２平板部５３との間に設けられた角部５５とからなる。
【００４１】
こうした構成によれば、台紙５０の一部を折り曲げることによって、収容部３０の複数の内面にそれぞれ当接する第１平板部５２及び第２平板部５３と、互いに隣り合う第１平板部５２及び第２平板部５３の間に設けられた角部５５とからなる回転止め部を形成することができる。したがって、回転止め部の構成を簡単にできる。
【００４２】
（５）シート４０は、台紙５０の上に載置され、シート４０及び台紙５０を共に渦巻状に丸めることによって、一方の開口を通じて収容部３０内に収容される。したがって、シート４０を簡単に箱本体２０の内部に収容することができる。
【００４３】
上記実施形態は、例えば以下のように変更して実施することもできる。本実施形態及び以下の変更例は、技術的に矛盾しない範囲で互いに組み合わせて実施することができる。
・シート４０は正方形に限定されず、一対の長辺及び一対の短辺を有する長方形のシートであってもよい。
【００４４】
・箱本体は、直方体状の収容部３０、すなわち四角筒状の筒部３１を有するものに限定されず、六角筒状などの筒部を有するものであってもよい。
・台紙５０の第１平板部５２、第２平板部５３及び角部５５によって回転止め部を構成したが、回転止め部はこれに限られるものではない。例えば、台紙に係止片を設け、同係止片を箱本体に係止させることによって回転止め部を構成することもできる。
【００４５】
・取出口２１の幅方向Ｙの長さＹ３を、シート４０の長さＹ１と同一にすることもできるし、同長さＹ１よりも長くすることもできる。
・複数の規制片５６を幅方向Ｙに間隔をおいて設けることもできる。また、規制片５６を省略することもできる。
【００４６】
・本発明に係るシートは、ラッピングシートに限定されず、クッキングシートやプラスチックバッグ、所謂ビニール袋などとして具体化することもできる。要するに、積層可能なシート状のものであればよい。
【符号の説明】
【００４７】
１０…収容箱体、２０…箱本体、２１…取出口、２１ａ…逃がし凹部、２２…蓋部、２３…係止片、２４…吊り下げ部、２５…孔、３０…収容部、３１…筒部、３２…底壁部、３３…前壁部、３４…頂壁部、３５…内側後壁部、３６…外側後壁部、３７…フラップ、３８…係止孔、４０…シート、４０ａ…前端、４０ｂ…後端、４１…補助シール、５０…台紙、５１…ロール部、５１ａ…折り線、５２…第１平板部、５３…第２平板部、５４，５５…角部、５６…規制片、６０…シール。
【図１】
2020132253.tif 000003
【図２】
2020132253.tif 000004
【図３】
2020132253.tif 000005
【図４】
2020132253.tif 000006
【図５】
2020132253.tif 000007